(57)【特許請求の範囲】
【請求項１】
配線基板に対面する一端面部及び該一端面部に対向する他端面部を有し、上記他端面部に開口する板状部材差込み部が設けられて上記配線基板上に配されるハウジングと、
該ハウジングに固定され、上記一端面部を上記配線基板に対面させたもとでの上記ハウジングの上記配線基板への取付けに供される取付部材と、
上記ハウジングに上記板状部材差込み部の開口部分に沿って配列配置され、各々が上記配線基板に設けられた配線端子に連結される接続端子部を有するとともに、配線板状部材が上記ハウジングに上記板状部材差込み部を通じて上記一端面部に向かって差し込まれたとき、上記ハウジング内において上記配線板状部材に設けられた複数の接触端子部に接触接続される複数のコンタクトと、
を備えて成り、
上記取付部材が、上記ハウジングの一端面部側に配される基部，該基部から伸びて上記配線基板に連結される基板連結部，上記基部から上記ハウジング内を該ハウジングの他端面部に向かって伸びる可動腕状部，該可動腕状部における上記ハウジングの他端面部側の端部に連結されて上記板状部材差込み部の開口部分に沿う方向を長手方向として伸びる操作部、及び、上記ハウジングに上記板状部材差込み部を通じて差し込まれた配線板状部材を係止する状態をとるロック部を、一体的に形成されたものとして含んで構成され、
上記可動腕状部が上記操作部における該操作部の長手方向の端部の近傍に連結されていて、
上記ロック部が、上記可動腕状部における上記長手方向に沿う方向の端部もしくは上記操作部における上記長手方向の端部から上記板状部材差込み部に向かって突出する係合突起を形成し、該係合突起を上記ハウジングに差し込まれた配線板状部材における係合部に係合させる状態をとり、
上記ロック部が上記配線板状部材を係止しているとき上記操作部に該操作部を上記可動腕状部の移動を伴って変位させる操作が加えられると、上記ロック部による上記配線板状部に対する係止が解除されることを特徴とするコネクタ装置。
【請求項２】
上記基板連結部と上記複数のコンタクトの夫々における接続端子部とが上記基部を挟んで相互対向する位置に配され、上記操作部が、少なくとも上記操作が加えられ始められるとき、上記基板連結部と上記接続端子部との間となる位置に配されることを特徴とする請求項１記載のコネクタ装置。
【請求項３】
上記取付部材が、複数の上記可動腕状部が上記長手方向に沿って配列されたものとされることを特徴とする請求項１記載のコネクタ装置。
【請求項４】
上記取付部材が、上記基部により支えられて上記長手方向に沿って広がり、上記ハウジングにおける上記一端面部と上記他端面部との間の相互対向側端面の一方を部分的に覆う平板状部を有していることを特徴とする請求項１記載のコネクタ装置。
【請求項５】
上記取付部材が、上記基部における上記平板状部側の端縁部分から屈曲して伸び、上記ハウジングに圧入されて上記取付部材を保持することになる保持片部を有していることを特徴とする請求項４記載のコネクタ装置。
【請求項６】
上記取付部材が、上記基部における上記平板状部を挟んで相互対向する一対の端部の夫々から屈曲して伸び、上記ハウジングに圧入されて上記取付部材を保持することになる保持片部を有していることを特徴とする請求項４記載のコネクタ装置。
【請求項７】
上記操作部が、上記長手方向に沿って伸びる一対の対向端縁部のうちの上記ハウジングの内部側となるものが上記可動腕状部における上記ハウジングの他端面部側の端部に連結されたものとされることを特徴とする請求項１記載のコネクタ装置。
【請求項８】
上記操作部が、上記長手方向に沿って伸びる一対の対向端縁部のうちの上記ハウジングの外部側となるものが上記可動腕状部における上記ハウジングの他端面部側の端部に連結されたものとされることを特徴とする請求項１記載のコネクタ装置。
【請求項９】
上記ハウジングが、上記可動腕状部もしくは上記操作部が当接する位置に配されて、上記操作部の過大な変位を阻止する過大変位防止部を有していることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、その配線板状部材に設けられた接触端子部を他の配線基板に電気的に連結された状態のもとに維持するため、装着された配線板状部材に設けられた接触端子部に接触接続されるコンタクト及び装着された配線板状部材をその離脱を阻止すべく係止するロック部を備えたコネクタ装置に関する。
【背景技術】
【０００２】
種々の電子機器に実装される比較的小型なフレキシブル印刷配線基板やフレキシブル平板状ケーブル等の配線板状部材は、各種の電気部品が取り付けられる主配線基板への電気的連結が、当該主配線基板に電気的接続がなされて固定されるコネクタ装置が用いられて行われることが多いものとされる。このような配線板状部材の主配線基板への電気的連結にあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線部における端子に電気的に接続する。
【０００３】
従来提案されている、例えば、フレキシブル印刷配線基板とされる配線板状部材の主配線基板への電気的連結に用いられるコネクタ装置は、配線板状部材が差し込まれる板状部材差込み部が設けられたものとされて主配線基板に取り付けられる、例えば、絶縁材料によって形成されたハウジングを有したものとされ、そのハウジングに、配列配置されて設けられて主配線基板に設けられた配線端子に連結され、配線板状部材が板状部材差込み部を通じてハウジングに差し込まれたとき、ハウジング内において差し込まれた配線板状部材における複数の接触端子部に夫々接触接続される複数のコンタクトが備えられる。そして、複数のコンタクトが、配線板状部材に設けられた複数の接触端子部に夫々接触接続された状態におかれることにより、配線板状部材が、コネクタ装置を介して、主配線基板との電気的連結状態におかれる。
【０００４】
このようなコネクタ装置には、配線板状部材のハウジングへの板状部材差込み部を通じた差込み方向がハウジングが取り付けられた主配線基板に実質的に平行となる水平差込み型のものと、配線板状部材のハウジングへの板状部材差込み部を通じた差込み方向がハウジングが取り付けられた主配線基板に実質的に直交することになる垂直差込み型のものとがある。コネクタ装置のハウジングは、通常、それが主配線基板に取り付けられる際に主配線基板に対接する基板対接端面部を有したものとされるが、水平差込み型のコネクタ装置にあっては、ハウジングに設けられた板状部材差込み部が、配線板状部材のハウジングへの差込みが基板対接端面部に実質的に平行な方向をもって行われるようにするものとされ、また、垂直差込み型のコネクタ装置にあっては、ハウジングに設けられた板状部材差込み部が、配線板状部材のハウジングへの差込みが基板対接端面部に実質的に直交する方向をもって行われるようにするものとされる。
【０００５】
上述のような、水平差込み型のコネクタ装置及び垂直差込み型のコネクタ装置のいずれにあっても、例えば、フレキシブル印刷配線基板とされる配線板状部材が、主配線基板に取り付けられたハウジングに板状部材差込み部を通じて差し込まれて、ハウジングに配された複数のコンタクトが、ハウジング内において配線板状部材における複数の接触端子部に夫々接触接続され、それにより、配線板状部材がコネクタ装置を介して主配線基板との電気的連結状態におかれるにあたり、配線板状部材がハウジングから不所望に離脱するような事態が回避されなくてはならない。当然のことながら、ハウジングに配された複数のコンタクトがハウジング内において配線板状部材における複数の接触端子部に夫々接触接続された状態が適正に維持されるためには、ハウジングに板状部材差込み部を通じて差し込まれた配線板状部材が、その状態を安定に維持することができ、ハウジングから不所望に抜脱されるような事態をまねかないものとされることが必要とされるのである。
【０００６】
そのため、例えば、垂直差込み型のコネクタ装置に着目すると、板状部材差込み部が設けられたハウジングに、板状部材差込み部を通じて、ハウジングが取り付けられた主配線基板に実質的に直交する方向をもって差し込まれた配線板状部材を係止し、それにより、配線板状部材のハウジングからの不所望な抜脱を阻止するロック手段を備えたコネクタ装置が、従来提案されている（例えば、特許文献１参照。）。
【０００７】
特許文献１に示される垂直差込み型のコネクタ装置（ＦＰＣ／ＦＦＣ用ロック機構付きコネクタ）にあっては、主配線基板（基板Ｂ）に取り付けられたハウジング（インシュレータ10）に、主配線基板に直交する方向（鉛直方向）に向けられた板状部材差込み部（ＦＰＣ／ＦＦＣ挿入穴11）が設けられており、その板状部材差込み部を通じて、配線板状部材（ＦＰＣ／ＦＦＣ20）がハウジングに主配線基板に直交する方向をもって差し込まれる。さらに、ハウジングには、その長手方向の両端部分に、一対の係止手段（ロックレバー15）が回動可能に軸着されている。一対の係止手段の夫々は、そのいずれの部分にも押圧力等の外力が作用していないとき主配線基板に平行に伸びる姿勢及び主配線基板に対して斜め方向に伸びる姿勢を夫々とる、水平部（15a ）及び傾斜部（15b ）を有している。水平部（15a ）及び傾斜部（15b ）は、係止手段をハウジングに軸着している軸（14）を挟んで配されており、軸（14）を中心にして一体的に回動できるものとされている。
【０００８】
係止手段の傾斜部（15b ）は、それに押圧力等の外力が作用していないときには、その先端部分がハウジングに設けられた板状部材差込み部内に置かれるようにされている。それにより、配線板状部材が板状部材差込み部を通じてハウジングに差し込まれる際には、先ず、差し込まれる配線板状部材の端部に設けられた一対の突起部（22）の各々によって係止手段の傾斜部（15b ）が押圧され、係止手段の全体が、その傾斜部（15b ）における先端部がハウジングに設けられた板状部材差込み部外に押し退けられるように回動せしめられる。
【０００９】
続いて、配線板状部材がさらにハウジングに差し込まれて、配線板状部材の端部がハウジング内における正規の位置に到達するときには、配線板状部材の端部に設けられた突起部（22）が係止手段の傾斜部（15b ）における先端部に対応する位置を通り越しており、係止手段の傾斜部（15b ）が配線板状部材における突起部（22）による押圧を受ける状態から解放される。それにより、係止手段が、ハウジングに設けられた板状部材差込み部外に配されていた係止手段の傾斜部（15b ）における先端部をハウジングに設けられた板状部材差込み部内に置くように復元回動して、その水平部（15a ）及び傾斜部（15b ）が夫々配線基板に平行に伸びる姿勢及び配線基板に対して斜め方向に伸びる姿勢をとる状態に戻る。
【００１０】
このようにして、配線板状部材が板状部材差込み部を通じてハウジングに差し込まれたもとにあっては、ハウジングに設けられた板状部材差込み部内に置かれた係止手段の傾斜部（15b ）における先端部が、ハウジングに差し込まれた配線板状部材における突起部（22）が形成する段部（23）に係合する状態に置かれる。そのため、ハウジングに差し込まれた配線板状部材に、それをハウジングから抜脱させる方向の不所望な外力が作用するときには、一対の係止手段の夫々の傾斜部（15b ）における先端部が差し込まれた配線板状部材における一対の段部（23）の夫々を係止して、配線板状部材のハウジングからの不所望な抜脱を阻止する。
【先行技術文献】
【特許文献】
【００１１】
【特許文献１】特開２００１−１９６１３０号公報（２〜３頁，図１〜７）
【発明の概要】
【発明が解決しようとする課題】
【００１２】
上述のような、ハウジングに差し込まれたフレキシブル印刷配線基板等とされる配線板状部材のハウジングからの不所望な抜脱の阻止に関与する係止手段を備えた垂直差込み型のコネクタ装置として、従来提案されているものにあっては、一対の係止手段を成すロックレバーが、ハウジングとは別体のものとして、ハウジングに回動可能に設けられており、各ロックレバーは、配線板状部材のハウジングへの差込みに応じて回動する。また、場合によっては、配線板状部材のハウジングへの差込みに応じたロックレバーの回動をより確実なものとするため、ロックレバーに強制的な付勢力を与える付勢リブがハウジングに設けられる。
【００１３】
それゆえ、このような従来提案されている垂直差込み型のコネクタ装置にあっては、それを構成する部品点数が増加し、組立て作業工程の複雑化がまねかれ、さらに、製造コストが嵩むことになるという問題があった。
【００１４】
また、一対の係止手段による係止状態のもとに置かれた配線板状部材をその係止状態から解放する際には、一対の係止手段の各々を同時に変位させなければならないが、一対の係止手段はハウジングにおける板状部材差込み部に臨むものとされて配列配置された複数のコンタクトの配列方向の両端部に夫々独立して設けられているので、一対の係止手段の各々を同時に変位させる操作が、操作者にとって行い難い、作業性が悪いものとなってしまう。
【００１５】
斯かる点に鑑み、本願の特許請求の範囲に記載された発明は、フレキシブル印刷配線基板やフレキシブル平板状ケーブル等とされる配線板状部材の他の配線基板への電気的連結に用いられる垂直差込み型のコネクタ装置であって、配線基板上に配され、その配線基板に対接する一端面部に対向する他端面部に開口する板状部材差込み部が設けられたハウジングと、ハウジングに配列配置されて設けられ、配線板状部材を配線基板に電気的に連結する複数のコンタクトとを備えたもとにおいて、ハウジングに対して回動可能とされる別部材を備える必要がなく、部品点数を比較的少とすることができるとともに、組立て作業工程の簡素化を図ることができ、それにより、製造コストを低減させることができる構成をもって、ハウジングに板状部材差込み部を通じて差し込まれた配線板状部材についてのハウジングからの不所望な抜脱の阻止及びその阻止の解除を、作業性が良好なものとされたもとで容易かつ確実に行うことができるものを提供する。
【課題を解決するための手段】
【００１６】
本願の特許請求の範囲における請求項１から請求項９までのいずれかに記載された発明（以下、本発明という。）に係るコネクタ装置は、配線基板に対面する一端面部及びそれに対向する他端面部を有し、他端面部に開口する板状部材差込み部が設けられて配線基板上に配されるハウジングと、ハウジングに固定され、ハウジングのその一端面部を配線基板に対面させたもとでの配線基板への取付けに供される取付部材と、ハウジングに板状部材差込み部の開口部分に沿って配列配置され、各々が配線基板に設けられた配線端子に連結される接続端子部を有するとともに、配線板状部材がハウジングに板状部材差込み部を通じて一端面部に向かって差し込まれたとき、ハウジング内において配線板状部材に設けられた複数の接触端子部に接触接続される複数のコンタクトとを備えて構成される。そして、取付部材が、ハウジングの一端面部側に配される基部，基部から伸びて配線基板に連結される基板連結部，基部からハウジング内をハウジングの他端面部に向かって伸びる可動腕状部，可動腕状部におけるハウジングの他端面部側の端部に連結されて板状部材差込み部の開口部分に沿う方向を長手方向として伸びる操作部、及び、ハウジングに板状部材差込み部を通じて差し込まれた配線板状部材を係止する状態をとるロック部を、一体的に形成されたものとして含んで構成され、可動腕状部が操作部におけるその長手方向の端部の近傍に連結されていて、ロック部が、可動腕状部における操作部の長手方向に沿う方向の端部もしくは操作部におけるその長手方向の端部から板状部材差込み部に向かって突出する係合突起を形成し、その係合突起をハウジングに差し込まれた配線板状部材における係合部に係合させる状態をとり、ロック部が配線板状部材を係止しているとき操作部にそれを可動腕状部の移動を伴って変位させる操作が加えられると、ロック部による配線板状部に対する係止が解除されることを特徴とするものとされる。
【００１８】
上述のような本発明に係るコネクタ装置にあっては、配線板状部材が、配線基板に一端面部を対面させて配されたハウジングに、その一端面部に対向する他端面部に開口して設けられた板状部材差込み部を通じて一端面部に向かって差し込まれると、ハウジング内に配列配置された複数のコンタクトが、差し込まれた配線板状部材における複数の接触端子部に接触接続されるとともに、ハウジングの配線基板への取付けに供される取付部材に含まれる可動腕状部における操作部の長手方向に沿う方向の端部もしくは操作部におけるその長手方向の端部から板状部材差込み部に向かって突出する係合突起を形成するロック部が、ハウジング内において、差し込まれた配線板状部材における係合部に係合突起を係合させて当該配線板状部材を係止する。それにより、ハウジングに差し込まれた配線板状部材のハウジングからの不所望な抜脱が阻止される。
【００１９】
そして、ロック部が配線板状部材を係止したもとで、取付部材に一体的に形成された可動腕状部におけるハウジングの他端面部側の端部に連結されて板状部材差込み部の開口部分に沿う方向を長手方向として伸びる操作部に、それを可動腕状部の移動を伴って変位させる操作が加えられるとき、当該操作部の変位に伴って、可動腕状部における操作部の長手方向に沿う方向の端部もしくは操作部におけるその長手方向の端部から板状部材差込み部に向かって突出する係合突起を形成するロック部がハウジング内において変位し、それにより、ロック部が配線板状部に対する係止を解除する。その結果、操作部が可動腕状部の移動を伴って変位せしめられるべく操作されることによって、ハウジング内においてロック部が配線板状部に対する係止を解除する状態がとられ、配線板状部材がハウジングから抜脱され得る状態におかれる。
【発明の効果】
【００２１】
本発明に係るコネクタ装置にあっては、上述のように、配線基板に一端面部を対面させて配されたハウジングに、その一端面部に対向する他端面部に開口して設けられた板状部材差込み部を通じて一端面部に向かって差し込まれた配線板状部材を、ロック部により係止して、ハウジングからの不所望な抜脱が阻止される状態におくこと、さらには、操作部の操作によりロック部による係止を解除して、ハウジングから抜脱され得る状態におくことができるが、そのためのロック部と操作部とを、ハウジングの配線基板への取付けに供される取付部材に一体的に形成されたものとすることができる。その際、取付部材は、配線基板に対面するハウジングの一端面部側に配される基部を有し、その基部に配線基板に連結される基板連結部とハウジング内をハウジングの他端面部に向かって伸びる可動腕状部とが設けられて、可動腕状部におけるハウジングの他端面部側の端部に操作部が連結されたものとされており、可動腕状部が操作部におけるその長手方向の端部の近傍に連結されたもとで、ロック部が、可動腕状部における操作部の長手方向に沿う方向の端部もしくは操作部におけるその長手方向の端部から板状部材差込み部に向かって突出する係合突起を形成し、その係合突起をハウジングに差し込まれた配線板状部材における係合部に係合させる状態をとるものとして設けられている。そして、ロック部に配線板状部に対する係止を解させるための操作は、板状部材差込み部の開口部分に沿う方向を長手方向として伸びる操作部を可動腕状部の移動を伴って変位させるだけの、作業性が良好とされる操作とされる。
【００２２】
従って、取付部材は、基部，基板連結部，可動腕状部, 操作部及びロック部を一体的に形成されたものとして含んでおり、その結果、本発明に係るコネクタ装置によれば、ハウジングに対して回動可能とされる別部材等を備える必要がなく、部品点数を比較的少とすることができるとともに、組立て作業工程の簡素化を図ることができる。そして、それにより、製造コストを低減させることができる構成をもって、ハウジングに板状部材差込み部を通じて差し込まれた配線板状部材についてのハウジングからの不所望な抜脱の阻止及びその阻止の解除を、作業性が良好とされたもとで容易かつ確実に行うことができることになる。
【００２３】
特に、ハウジング内において差し込まれた配線板状部材を係止する状態をとるロック部が、可動腕状部が操作部におけるその長手方向の端部の近傍に連結されたもとで、可動腕状部における操作部の長手方向に沿う方向の端部もしくは操作部におけるその長手方向の端部から板状部材差込み部に向かって突出する係合突起を形成するものとされていることにより、その係合突起をハウジングに差し込まれた配線板状部材における側縁部に形成された係合部に適正に係合させることができ、その結果、ロック部によるハウジングに差し込まれた配線板状部材に対する係止がより一層確実に行われる。
【図面の簡単な説明】
【００２４】
【図１】本発明に係るコネクタ装置の第一の例を示す斜視図である。
【図２】本発明に係るコネクタ装置の第一の例を示す正面図である。
【図３】図２における III−III 線断面を示す断面図である。
【図４】本発明に係るコネクタ装置の第一の例に備えられる取付部材を示す斜視図である。
【図５】本発明に係るコネクタ装置の第一の例に備えられる取付部材を示す斜視図である。
【図６】図２におけるVI−VI線断面を示す断面図である。
【図７】本発明に係るコネクタ装置の第一の例に備えられる取付部材に形成された操作部及びロック部の位置説明に供される断面図である。
【図８】本発明に係るコネクタ装置の第一の例が備えるハウジングに差し込まれるフレキシブル印刷配線基板を示す斜視図である。
【図９】本発明に係るコネクタ装置の第一の例が備えるハウジングにフレキシブル印刷配線基板が差し込まれた状態を示す斜視図である。
【図１０】本発明に係るコネクタ装置の第一の例が備えるハウジングに対してフレキシブル印刷配線基板が差込み途中にある状態を示す断面図である。
【図１１】本発明に係るコネクタ装置の第一の例が備えるハウジングに対するフレキシブル印刷配線基板の差込みが完了し、当該第一の例に備えられたロック部によってフレキシブル印刷配線基板が係止された状態を示す断面図である。
【図１２】本発明に係るコネクタ装置の第一の例が備えるハウジングに差し込まれたフレキシブル印刷配線基板に対するロック部による係止が解除された状態を示す断面図である。
【図１３】本発明に係るコネクタ装置の第二の例を示す斜視図である。
【図１４】本発明に係るコネクタ装置の第二の例を示す正面図である。
【図１５】図１４におけるXV−XV線断面を示す断面図である。
【図１６】本発明に係るコネクタ装置の第二の例に備えられる取付部材を示す斜視図である。
【図１７】本発明に係るコネクタ装置の第二の例に備えられる取付部材を示す斜視図である。
【図１８】図１４における XVIII−XVIII 線断面を示す断面図である。
【図１９】本発明に係るコネクタ装置の第二の例に備えられる取付部材に形成された操作部及びロック部の位置説明に供される断面図である。
【図２０】本発明に係るコネクタ装置の第二の例が備えるハウジングにフレキシブル印刷配線基板が差し込まれた状態を示す斜視図である。
【図２１】本発明に係るコネクタ装置の第二の例が備えるハウジングに対してフレキシブル印刷配線基板が差込み途中にある状態を示す断面図である。
【図２２】本発明に係るコネクタ装置の第二の例が備えるハウジングに対するフレキシブル印刷配線基板の差込みが完了し、当該第二の例に備えられたロック部によってフレキシブル印刷配線基板が係止された状態を示す断面図である。
【図２３】本発明に係るコネクタ装置の第二の例が備えるハウジングに差し込まれたフレキシブル印刷配線基板に対するロック部による係止が解除された状態を示す断面図である。
【発明を実施するための形態】
【００２５】
本発明を実施するための形態は、以下に述べられる本発明についての実施例をもって説明される。
【実施例１】
【００２６】
図１（斜視図），図２（正面図）及び図３（断面図）は、本発明に係るコネクタ装置の第一の例（実施例１）を成すコネクタ装置１０を示す。なお、便宜上、コネクタ装置１０について、図２に示されるコネクタ装置１０の正面から見て左方を左あるいは左側，右方を右あるいは右側，上方を上あるいは上側及び下方を下あるいは下側という。
【００２７】
図１〜３において、本発明に係るコネクタ装置の第一の例を成すコネクタ装置１０は、合成樹脂等の絶縁材料によって形成されたハウジング１１を備えている。ハウジング１１は、図示されていない配線基板上に配されるものとされており、配線基板上に配されるにあたって当該配線基板に対面することになる一端面部である下側端面部１１ａと、下側端面部１１ａに対向する他端面部である上側端面部１１ｂとを有している。
【００２８】
ハウジング１１には、図１及び図３に示されるように、その上側端面部１１ｂに開口し、上側端面部１１ｂから下側端面部１１ａに向かって伸びるとともに、ハウジング１１の長手方向である左右方向に沿って伸びる開口部分を有した板状部材差込み部１２が設けられている。この板状部材差込み部１２を通じて、例えば、フレキシブル印刷配線基板とされる配線板状部材がハウジング１１に差し込まれる。このように上側端面部１１ｂから下側端面部１１ａに向かって伸びる板状部材差込み部１２は、ハウジング１１が配される配線基板に対して実質的に直交する方向に伸びており、それにより、板状部材差込み部１２を通じてハウジング１１に差し込まれる配線板状部材のハウジング１１への差込み方向が、ハウジング１１が配される配線基板に実質的に直交することになる。従って、コネクタ装置１０は、垂直差込み型のコネクタ装置を成している。
【００２９】
ハウジング１１には、各々の一部分がハウジング１１の内部に配されるものとされた複数のコンタクト１３（図３）が、板状部材差込み部１２の開口部分に沿って配列配置されて設けられている。これら複数のコンタクト１３の夫々の一端部は、ハウジング１１の正面側端面部１１ｃに対向する背面側端面部１１ｄの下方からハウジング１１の背面側の外部に導出された接続端子部１３ａを形成している。各接続端子部１３ａは、ハウジング１１が配された配線基板に設けられた配線端子に，例えば、半田付けによって接続され、それにより、複数のコンタクト１３の夫々が配線基板に設けられた配線端子に電気的に連結される。
【００３０】
複数のコンタクト１３の夫々は、弾性導電板材によって形成され、図２における III−III 線断面を示す図３に示されるように、接続端子部１３ａからハウジング１１の下側端面部１１ａに沿ってハウジング１１の内部へと伸び、ハウジング１１の下側端面部１１ａ側から屈曲して立ち上がってハウジング１１に設けられた板状部材差込み部１２内を、ハウジング１１の上側端面部１１ｂに向かって伸びるものとされている。そして、複数のコンタクト１３の夫々における板状部材差込み部１２内に配された部分は、板状部材差込み部１２を通じてハウジング１１に差し込まれた配線板状部材を成すフレキシブル印刷配線基板に設けられた複数の接触端子部のうちの対応するものに押圧接触する接触部１３ｂを形成している。
【００３１】
複数のコンタクト１３における接触部１３ｂが、板状部材差込み部１２を通じてハウジング１１に差し込まれたフレキシブル印刷配線基板に設けられた複数の接触端子部に夫々押圧接触するときには、ハウジング１１に差し込まれたフレキシブル印刷配線基板における複数の接触端子部が、複数のコンタクト１３を介して、ハウジング１１が配された配線基板に設けられた配線端子に電気的に連結される。それにより、ハウジング１１に差し込まれたフレキシブル印刷配線基板が、ハウジング１１が配された配線基板との電気的連結がなされた状態におかれる。
【００３２】
図１に示されるように、ハウジング１１における板状部材差込み部１２を形成する内壁部分には、ハウジング１１の長手方向に配列配置された複数の狭幅溝部１１e が形成されており、これらの複数の狭幅溝部１１e の夫々に、コンタクト１３における接触部１３ｂを形成する部分が配される。それにより、コンタクト１３における接触部１３ｂを形成する部分についての位置規制がなされている。複数のコンタクト１３は、配線板状部材を成すフレキシブル印刷配線基板における複数の接触端子部に接触接続される信号用コンタクトとして設けられているが、フレキシブル印刷配線基板における複数の信号用接触端子部及び接地接続部に接触接続される信号用及び接地用コンタクトとして用いられても良い。
【００３３】
また、ハウジング１１には、配線基板上に配されたハウジング１１の当該配線基板への取付けに供される取付部材１５が取り付けられている。この取付部材１５は、例えば、導電性と弾性とを有した金属板材に打抜き屈曲加工が施されて形成される。
【００３４】
ハウジング１１に取り付けられる取付部材１５は、図４及び図５に示されるように、ハウジング１１の下側端面部１１ａ側に配されることになる基部１６を有しており、この基部１６は、ハウジング１１の長手方向に沿う方向、従って、ハウジング１１に設けられた板状部材差込み部１２の開口部分が伸びる方向を長手方向として伸びるものとされている。そして、この基部１６に、それから伸びてハウジング１１が配される配線基板に連結される複数の基板連結部１７と、基部１６からハウジング１１内をハウジング１１の上側端面部１１ｂに向かうことになる方向に伸びる可動腕状部１８とが設けられている。
【００３５】
複数の基板連結部１７の夫々は、基部１６からハウジング１１の下側端面部１１ａに沿うことになる方向に突出しており、取付部材１５が取り付けられたハウジング１１が配線基板上に配されるとき、配線基板に設けられたハウジング取付部に当接し、例えば、半田付けによってハウジング取付部に固定され、それにより、配線基板に連結される。このようにして、ハウジング１１に取り付けられた取付部材１５の複数の基板連結部１７が配線基板に連結されることにより、ハウジング１１が配線基板に取り付けられて固定される。
【００３６】
また、可動腕状部１８は、基部１６における長手方向の両端部に夫々設けられていて、２個の可動腕状部１８は、基部１６の長手方向に沿って配列されている。２個の可動腕状部１８の夫々は、先ず、基部１６からハウジング１１の内部に向かうことになる向きをもってハウジング１１の下側端面部１１ａに沿うことになる方向に伸び、その後、屈曲してハウジング１１の上側端面部１１ｂに向かうことになる方向、即ち、上方に伸びている。そして、可動腕状部１８は、ハウジング１１の下側端面部１１ａに沿うことになる方向からハウジング１１の上側端面部１１ｂに向かうことになる方向への屈曲部１８ａを仮想揺動軸部として、基部１６の長手方向に交差する方向に揺動できるようにされている。このようにしてハウジング１１の上側端面部１１ｂに向かうことになる方向に伸びる可動腕状部１８は、基部１６に設けられた複数の基板連結部１７のうちの相互対向する二つである基板連結部１７ａと基板連結部１７ｂとの間となる位置に配されている。
【００３７】
２個の可動腕状部１８の夫々には、ハウジング１１に板状部材差込み部１２を通じて差し込まれたフレキシブル印刷配線基板を係止する状態をとるロック部１９が設けられている。このロック部１９は、可動腕状部１８からハウジング１１に設けられた板状部材差込み部１２内に向かって突出することになる係合突起を形成しており、その先端部分が板状部材差込み部１２内となる位置に配される。そして、ロック部１９は、その先端部分が板状部材差込み部１２を通じてハウジング１１に差し込まれたフレキシブル印刷配線基板における係合部に係合する状態をとり、それによって当該フレキシブル印刷配線基板を係止する。
【００３８】
さらに、２個の可動腕状部１８の夫々におけるハウジング１１の上側端面部１１ｂ側の端部には、基部１６の長手方向に沿う方向、即ち、ハウジング１１に設けられた板状部材差込み部１２の開口部分に沿う方向を長手方向として伸びる操作部２０が連結されている。操作部２０は、全体として矩形平板状を成していて、各々が基部１６の長手方向に沿って伸びるものとされた相互対向端縁部である正面側端縁部２０ａと背面側端縁部２０ｂとを有している。操作部２０の正面側端縁部２０ａ及び背面側端縁部２０ｂは、正面側端縁部２０ａがハウジング１１の外部側となるとともに背面側端縁部２０ｂがハウジング１１の内部側となるものとされ、図５に示されるように、ハウジング１１の内部側となる背面側端縁部２０ｂにおける操作部２０の長手方向の端部が、２個の可動腕状部１８の夫々におけるハウジング１１の上側端面部１１ｂ側の端部に連結されている。それにより、２個の可動腕状部１８は、各々が操作部２０の長手方向の端部の近傍に連結されて、操作部２０の長手方向に沿って配列されていることになる。そして、可動腕状部１８に設けられたロック部１９が形成する係合突起は、可動腕状部１８における操作部２０の長手方向の端部から突出している。
【００３９】
そして、操作部２０は、それに基部１６に向かう方向の押圧操作が加えられるとき、２個の可動腕状部１８の夫々に、ロック部１９を伴って屈曲部１８ａを仮想揺動軸部として基部１６に向かって揺動する状態をとらせ、それにより、ロック部１９の先端部分をハウジング１１に設けられた板状部材差込み部１２内から外れる位置へと変位させる。その際、操作部２０の正面側端縁部２０ａは、基部１６に近付く方向に移動する。その後、操作部２０に基部１６に向かう方向の押圧操作が加えられなくなると、各可動腕状部１８は、自からの弾性により、ロック部１９及び操作部２０を伴って元の位置に戻る。
【００４０】
さらに、基部１６には、その正面側端縁部から伸びる複数の保持片部２１が設けられている。複数の保持片部２１の夫々は、基部１６の正面側端縁部から屈曲して操作部２０に向かう方向、即ち、上方に伸び、さらに屈曲して背面側に突出するものとされていて、ハウジング１１の正面端面部１１ｃに圧入されて取付部材１５を保持することになる。
【００４１】
取付部材１５は、基部１６により支えられて操作部２０の長手方向に沿って広がり、ハウジング１１の正面側端面部１１ｃを部分的に覆う平板状部２２も有している。平板状部２２における操作部２０の長手方向の両端部には、それらから屈曲して背面側に向かって突出し、ハウジング１１に圧入されて取付部材１５を保持することになる複数の保持片部２２ａが設けられている。
【００４２】
上述のように、基部１６，複数の基板連結部１７，２個の可動腕状部１８，２個のロック部１９，操作部２０及び平板状部２２を有するものとされた取付部材１５は、その全体が、基部１６，基板連結部１７，可動腕状部１８，ロック部１９，操作部２０及び平板状部２２を一体的に形成されたものとして含んだ、一つの部材として構成されている。
【００４３】
そして、図４及び図５に示される取付部材１５は、その基部１６に設けられた複数の保持片部２１及びその平板状部２２に設けられた複数の保持片部２２ａがハウジング１１に圧入されて取付部材１５を保持するものとされるもとで、ハウジング１１への取付けがなされる。このように、複数の保持片部２１及び２２ａが、ハウジング１１に圧入されて取付部材１５を保持するものとされることにより、取付部材１５のハウジング１１への取付けが、極めて安定かつ堅固に行われることになる。
【００４４】
取付部材１５がハウジング１１に取り付けられたもとにあっては、図２におけるVI−VI線断面を示す図６に示されるように、取付部材１５における可動腕状部１８がハウジング１１の内部に設けられた空間部分に配される。そして、可動腕状部１８におけるハウジング１１の上側端面部１１ｂ側の端部に連結された背面側端縁部２０ｂを有した操作部２０が、ハウジング１１の上側端面部１１ｂ側においてハウジング１１の外部に露出するものとされる。
【００４５】
ハウジング１１の外部に露出した操作部２０に、その外方からの基部１６に向かう方向の押圧操作が加えられていない状態のもとにあっては、可動腕状部１８が図６に示される位置をとり、このとき、可動腕状部１８に設けられたロック部１９は、その先端部分をハウジング１１に設けられた板状部材差込み部１２内に位置させる。また、ハウジング１１の外部に露出した操作部２０に、可動腕状部１８に、ロック部１９を伴って屈曲部１８ａを仮想揺動軸部として揺動する状態をとらせる、基部１６に向かう方向の押圧操作が加えられたときには、可動腕状部１８が図７に示される位置をとり、それにより、可動腕状部１８に設けられたロック部１９が、その先端部分を含んだ全体をハウジング１１に設けられた板状部材差込み部１２から外れた位置へと移動させるとともに、操作部２０が、その正面側端縁部２０ａを基部１６に近付けるように移動させる。その後、操作部２０に押圧操作が加えられなくなると、可動腕状部１８は、自からの弾性により、ロック部１９及び操作部２０を伴って、図６に示される位置に戻る。
【００４６】
取付部材１５が取り付けられたハウジング１１は、配線基板に配されてその配線基板に取り付けられるが、その際、取付部材１５における基部１６から伸びる複数の基板連結部１７が、配線基板に設けられたハウジング取付部に、例えば、半田付けにより固定されて、配線基板に連結され、また、ハウジング１１に配された複数のコンタクト１３の夫々の接続端子部１３ａが、配線基板に設けられた配線端子に、例えば、半田付けによって接続される。斯かるもとで、配線基板に連結された複数の基板連結部１７のうちの幾つかのもの、例えば、複数の基板連結部１７ａと、配線基板に設けられた配線端子に接続された複数のコンタクト１３の接続端子部１３ａとが、取付部材１５における基部１６を挟んで相互対向する位置に配される。それにより、取付部材１５における操作部２０が、少なくとも上述の押圧操作が加えられ始められるとき、配線基板に連結された基板連結部１７ａと配線基板に設けられた配線端子に接続された複数のコンタクト１３の接続端子部１３ａとの間となる位置に配されることになる。
【００４７】
図８は、コネクタ装置１０におけるハウジング１１に板状部材差込み部１２を通じて差し込まれる、配線板状部材を成すフレキシブル印刷配線基板の一例であるフレキシブル印刷配線基板３０を示す。
【００４８】
図８に示されるフレキシブル印刷配線基板３０における一対の相互対向面の一方には、その一端部に各々が導電性板材が用いられて細い短冊状に形成された複数の接続端子部３１が配列配置されて設けられている（省略図示されている。）。このような複数の接続端子部３１を備えたフレキシブル印刷配線基板３０には、配列配置された複数の接続端子部３１を挟んで相互対向する一対の側縁部に係合部３３及び係合部３４が夫々形成されていて、一対の側縁部の一方における係合部３３より先端側の部分が先端平板部３５とされるとともに、一対の側縁部の他方における係合部３４より先端側の部分が先端平板部３６とされている。
【００４９】
一対の係合部３３及び係合部３４は、各々が切欠きを形成するものとされているが、これらの切欠に代えて、フレキシブル印刷配線基板３０の一対の側縁部に夫々配される一対の係合孔を形成するものとされてもよい。そして、フレキシブル印刷配線基板３０における複数の接続端子部３１が配列配置された面とは反対側の面は、少なくとも一部分が絶縁フィルム３７によって覆われている。
【００５０】
図９は、図８に示されるフレキシブル印刷配線基板３０が、コネクタ装置１０におけるハウジング１１に板状部材差込み部１２を通じて差し込まれた状態を示す。図９において、フレキシブル印刷配線基板３０は、複数の接続端子部３１が配列配置された面が、ハウジング１１の背面側端面部１１ｄ側に配されるものとされている。このようにして、フレキシブル印刷配線基板３０が、板状部材差込み部１２を通じてハウジング１１に差し込まれたときには、フレキシブル印刷配線基板３０に設けられた複数の接続端子部３１の夫々に、図３に示されるコンタクト１３の接触部１３ｂが押圧接触する。それにより、フレキシブル印刷配線基板３０に設けられた複数の接続端子部３１が、コネクタ装置１０における複数のコンタクト３１を介して、コネクタ装置１０が固定された配線基板に設けられた配線端子に電気的に連結される。
【００５１】
フレキシブル印刷配線基板３０がコネクタ装置１０におけるハウジング１１に板状部材差込み部１２を通じて差し込まれるにあたっては、コネクタ装置１０が、ハウジング１１に取り付けられた取付部材１５におけるロック部１９が設けられるとともに操作部２０に連結された可動腕状部１８が、図６に示される状態におかれたものとして用意される。
【００５２】
そして、このように用意されたコネクタ装置１０に対して、フレキシブル印刷配線基板３０が、ハウジング１１に、それに設けられた板状部材差込み部１２を通じ、コネクタ装置１０が固定された配線基板に実質的に直交する方向を持っても差し込まれる。その際、先ず、図１０に示されるように、コネクタ装置１０におけるハウジング１１の左側端部において、取付部材１５における可動腕状部１８に設けられて先端部分を板状部材差込み部１２内に位置させたロック部１９が、ハウジング１１に差し込まれたフレキシブル印刷配線基板３０における係合部３３より先端側の先端平板部３５によって、可動腕状部１８の屈曲部１８ａを仮想揺動軸部としての揺動を伴って押し動かされ、その全体が板状部材差込み部１２から外れることになる位置をとるものとされる。同様に、コネクタ装置１０におけるハウジング１１の右側端部において、取付部材１５における可動腕状部１８に設けられて先端部分を板状部材差込み部１２内に位置させたロック部１９が、ハウジング１１に差し込まれたフレキシブル印刷配線基板３０における係合部３４より先端側の先端平板部３６によって、可動腕状部１８の屈曲部１８ａを仮想揺動軸部としての揺動を伴って押し動かされ、その全体が板状部材差込み部１２から外れることになる位置をとるものとされる。
【００５３】
このとき、取付部材１５における２個の可動腕状部１８の夫々に設けられたロック部１９は、その先端部分のみがハウジング１１に差し込まれたフレキシブル印刷配線基板３０における先端平板部３５又は３６に当接するだけであるので、フレキシブル印刷配線基板３０のハウジング１１への更なる差込みを妨げるものとはならない。
【００５４】
続いて、フレキシブル印刷配線基板３０が、板状部材差込み部１２を通じて更にハウジング１１の内部へと差し込まれて、差込みが完了する所定の位置に到達すると、図１１に示されるように、コネクタ装置１０におけるハウジング１１の左側端部において、取付部材１５における可動腕状部１８に設けられたロック部１９が、ハウジング１１に差し込まれたフレキシブル印刷配線基板３０における先端平板部３５から外れる。それにより、ロック部１９が設けられた可動腕状部１８が自らの弾性によって復元変位し、それに伴って、ロック部１９がその先端部分を板状部材差込み部１２内に位置させる状態に置かれる。
【００５５】
先端部分を板状部材差込み部１２内に位置させた取付部材１５における可動腕状部１８に設けられたロック部１９は、ハウジング１１に差し込まれたフレキシブル印刷配線基板３０における先端平板部３５より内側に設けられた係合部３３に係合して、フレキシブル印刷配線基板３０を係止する状態に置かれる。
【００５６】
また、斯かる際、図示は省略されているが、コネクタ装置１０におけるハウジング１１の右側端部において、取付部材１５における可動腕状部１８に設けられたロック部１９が、ハウジング１１に差し込まれたフレキシブル印刷配線基板３０における先端平板部３６から外れる。それにより、ロック部１９が設けられた可動腕状部１８が自らの弾性によって復元変位し、それに伴って、ロック部１９がその先端部分を板状部材差込み部１２内に位置させる状態に置かれる。
【００５７】
先端部分を板状部材差込み部１２内に位置させた取付部材１５における可動腕状部１８に設けられたロック部１９は、ハウジング１１に差し込まれたフレキシブル印刷配線基板３０における先端平板部３６より内側に設けられた係合部３４に係合して、フレキシブル印刷配線基板３０を係止する状態に置かれる。
【００５８】
その結果、フレキシブル印刷配線基板３０は、ハウジング１１への板状部材差込み部１２を通じての差込みを完了して、正規の差込み位置をとっており、取付部材１５における２個の可動腕状部１８の夫々に設けられたロック部１９により係止されて、ハウジング１１からの不所望な抜脱が阻止される状態におかれる。即ち、フレキシブル印刷配線基板３０は、ハウジング１１に板状部材差込み部１２を通じて適正に差し込まれるだけで、取付部材１５における２個の可動腕状部１８の夫々に設けられたロック部１９によりハウジング１１からの不所望な抜脱が阻止される状態におかれることになる。
【００５９】
このとき、図１１に示されるように、ハウジング１１の上側端面部１１ｂ側においてハウジング１１の外部に露出した取付部材１５における操作部２０は、その正面側端縁部２０ａが基部１６から遠ざかった位置をとり、その背面側端縁部２０ｂがハウジング１１に差し込まれたフレキシブル印刷配線基板３０に近づいた位置をとるものとされる。
【００６０】
その後、図１２に示されるように、ハウジング１１の上側端面部１１ｂ側においてハウジング１１の外部に露出する操作部２０に、取付部材１５における基部１６に向かう方向の押圧操作が加えられて、２個の可動腕状部１８の夫々が、それに設けられたロック部１９を伴って、屈曲部１８ａを仮想揺動軸部として平板状部２２に向かって揺動するものとされると、操作部２０が、その正面側端縁部２０ａが基部１６に近づくように移動せしめられ、その背面側端縁部２０ｂがハウジング１１に差し込まれたフレキシブル印刷配線基板３０から遠ざかるように移動せしめられるとともに、ロック部１９が、その先端部分を含む全体が板状部材差込み部１２から外れることになる位置をとるものとされる。それにより、取付部材１５における２個の可動腕状部１８に夫々設けられたロック部１９が、ハウジング１１に差し込まれたフレキシブル印刷配線基板３０における係合部３３及び３４との係合を解除して、フレキシブル印刷配線基板３０をそれに対するロック部１９による係止から解放する。
【００６１】
その結果、ハウジング１１に差し込まれたフレキシブル印刷配線基板３０が、ハウジング１１から適正に抜脱され得る状態におかれることになる。
【００６２】
斯かる際、前述のように、取付部材１５における操作部２０が、少なくとも上述の押圧操作が加えられ始められるとき、配線基板に連結された複数の基板連結部１７ａと配線基板に設けられた配線端子に接続された複数のコンタクト１３の接続端子部１３ａとの間となる位置に配されるので、押圧操作が加えられた操作部２０, 可動腕状部１８及び基部１６を介して取付部材１５にかかる押圧力が、複数の基板連結部１７ａ及び複数のコンタクト１３の接続端子部１３ａに分散されて配線基板に伝達されることになる。従って、取付部材１５及び配線基板は、操作部２０に対する押圧操作に起因する押圧力を、構造的に安定した状態に置かれたもとで受け止めることができ、不所望な変形や破損を生じる事態を回避できることになる。
【００６３】
なお、取付部材１５に設けられた操作部２０に上述の押圧操作力が加えられなくなると、取付部材１５における２個の可動腕状部１８の夫々が、自らの弾性によって、それに設けられたロック部１９を伴って復元変位し、それにより、操作部２０が、ハウジング１１の上側端面部１１ｂ側においてハウジング１１の外部に露出する状態に戻る。
【００６４】
上述の本発明に係るコネクタ装置の第一の例を成すコネクタ装置１０は、ハウジング１１の上側端面部１１ｂ，背面側端面部１１ｄ及び左右側端面部等の外表面を覆うシェル部材を備えていないが、本発明に係るコネクタ装置は、ハウジング１１の上側端面部１１ｂ，背面側端面部１１ｄ及び左右側端面部等の外表面を全体的もしくは部分的に覆うシェル部材を備えたものとすることもできる。斯かる際には、シェル部材は、例えば、導電性材料をもって形成され、接地電位が与えられるものとされることが望ましい。
【００６５】
上述のようにして配線基板に固定されたコネクタ装置１０にあっては、配線基板に下側端面部１１ａを対面させて配されたハウジング１１に、その下側端面部１１ａに対向する上側端面部１１ｂに開口して設けられた板状部材差込み部１２を通じて下側端面部１１ａに向かって差し込まれたフレキシブル印刷配線基板３０を、ロック部１９により係止して、ハウジング１１からの不所望な抜脱が阻止される状態におくこと、さらには、操作部２０を介してロック部１９による係止を解除し、ハウジング１１から抜脱され得る状態におくことができるが、そのためのロック部１９と操作部２０とを、ハウジング１１の配線基板への取付けに供される取付部材１５に一体的に形成されたものとすることができる。その際、取付部材１５は、配線基板に対面するハウジング１１の下側端面部１１ａ側に配される基部１６を有し、その基部１６に複数の基板連結部１７，２個の可動腕状部１８及び平板状部２２が設けられ、２個の可動腕状部１８の夫々にロック部１９が形成され、さらに、２個の可動腕状部１８の夫々に操作部２０が連結されて構成される。
【００６６】
従って、取付部材１５は、基部１６，基板連結部１７，可動腕状部１８, ロック部１９，操作部２０及び平板状部２２を一体的に形成されたものとして含んでいることになる。その結果、コネクタ装置１０によれば、ハウジング１１に対して回動可能とされる別部材等を備える必要がなく、部品点数を比較的少とすることができるとともに、組立て作業工程の簡素化を図ることができ、それにより、製造コストを低減させることができる構成をもって、ハウジング１１に板状部材差込み部１２を通じて差し込まれたフレキシブル印刷配線基板３０についてのハウジング１１からの不所望な抜脱の阻止及びその阻止の解除を、容易かつ確実に行うことができる。
【００６７】
また、コネクタ装置１０にあっては、ハウジング１１内において差し込まれたフレキシブル印刷配線基板３０を係止する状態をとるロック部１９が、２個の可動腕状部１８の夫々が操作部２０におけるその長手方向の端部の近傍に連結されたもとで、各可動腕状部１８における操作部２０の長手方向に沿う方向の端部から板状部材差込み部１２に向かって突出する係合突起を形成するものとされていることにより、その係合突起をハウジング１１に差し込まれたフレキシブル印刷配線基板３０における側縁部に形成された係合部３３及び３４の夫々に適正に係合させることができ、その結果、ロック部１９によるハウジング１１に差し込まれたフレキシブル印刷配線基板３０に対する係止がより一層確実に行われる。
【００６８】
さらに、コネクタ装置１０にあっては、フレキシブル印刷配線基板３０がハウジング１１に板状部材差込み部１２を通じて差し込まれるだけで、そのフレキシブル印刷配線基板３０が取付部材１５に設けられたロック部１９により適正に係止されて、フレキシブル印刷配線基板３０のハウジング１１からの不所望な抜脱が阻止される状態がとられる。そして、フレキシブル印刷配線基板３０がロック部１９による係止状態のもとにおかれているときには、ハウジング１１への板状部材差込み部１２を通じての差込みを完了して正規の差込み位置をとっており、取付部材１５に設けられたロック部１９により適正に係止されて、ハウジング１１からの不所望な抜脱が阻止される状態におかれているときには、取付部材１５における操作部２０が、ハウジング１１の上側端面部１１ｂ側においてハウジング１１の外部に露出する状態におかれており、フレキシブル印刷配線基板３０に対するロック部１９による係止状態を解除するには、ハウジング１１の外部に露出する状態におかれた操作部２０に、例えば、押圧操作とされる操作を加えるだけで足りる。従って、ハウジング１１に板状部材差込み部１２を通じて差し込まれたフレキシブル印刷配線基板３０についてのハウジング１１からの不所望な離脱の阻止及びその阻止の解除を、作業性が良好とされたもとで容易かつ確実に行うことができることになる。
【実施例２】
【００６９】
図１３（斜視図），図１４（正面図）及び図１５（断面図）は、本発明に係るコネクタ装置の第二の例（実施例２）を成すコネクタ装置４０を示す。なお、便宜上、コネクタ装置４０についても、図１４に示されるコネクタ装置４０の正面から見て左方を左あるいは左側，右方を右あるいは右側，上方を上あるいは上側及び下方を下あるいは下側という。
【００７０】
図１３〜１５において、本発明に係るコネクタ装置の一例を成すコネクタ装置４０は、合成樹脂等の絶縁材料によって形成されたハウジング４１を備えている。ハウジング４１は、図示されていない配線基板上に配されるものとされており、配線基板上に配されるにあたって当該配線基板に対面することになる一端面部である下側端面部４１ａと、下側端面部４１ａに対向する他端面部である上側端面部４１ｂとを有している。
【００７１】
ハウジング４１には、図１３及び図１５に示されるように、その上側端面部４１ｂに開口し、上側端面部４１ｂから下側端面部４１ａに向かって伸びるとともに、ハウジング４１の長手方向である左右方向に沿って伸びる開口部分を有した板状部材差込み部４２が設けられている。この板状部材差込み部４２を通じて、例えば、フレキシブル印刷配線基板とされる配線板状部材がハウジング４１に差し込まれる。このように上側端面部４１ｂから下側端面部４１ａに向かって伸びる板状部材差込み部４２は、ハウジング４１が配される配線基板に対して実質的に直交する方向に伸びており、それにより、板状部材差込み部４２を通じてハウジング４１に差し込まれる配線板状部材のハウジング４１への差込み方向が、ハウジング４１が配される配線基板に実質的に直交することになる。従って、コネクタ装置４０は、垂直差込み型のコネクタ装置を成している。
【００７２】
ハウジング４１には、各々の一部分がハウジング４１の内部に配されるものとされた複数のコンタクト４３（図１５）が、板状部材差込み部４２の開口部分に沿って配列配置されて設けられている。これら複数のコンタクト４３の夫々の一端部は、ハウジング４１の正面側端面部４１ｃに対向する背面側端面部４１ｄの下方からハウジング４１の背面側の外部に導出された接続端子部４３ａを形成している。各接続端子部４３ａは、ハウジング４１が配された配線基板に設けられた配線端子に，例えば、半田付けによって接続され、それにより、複数のコンタクト４３の夫々が配線基板に設けられた配線端子に電気的に連結される。
【００７３】
複数のコンタクト４３の夫々は、弾性導電板材によって形成され、図１４におけるXV−XV線断面を示す図１５に示されるように、接続端子部４３ａからハウジング４１の下側端面部４１ａに沿ってハウジング４１の内部へと伸び、ハウジング４１の下側端面部４１ａ側から屈曲して立ち上がってハウジング４１に設けられた板状部材差込み部４２内を、ハウジング４１の上側端面部４１ｂに向かって伸びるものとされている。そして、複数のコンタクト４３の夫々における板状部材差込み部４２内に配された部分は、板状部材差込み部４２を通じてハウジング４１に差し込まれた配線板状部材を成すフレキシブル印刷配線基板に設けられた複数の接触端子部のうちの対応するものに押圧接触する接触部４３ｂを形成している。
【００７４】
複数のコンタクト４３における接触部４３ｂが、板状部材差込み部４２を通じてハウジング４１に差し込まれたフレキシブル印刷配線基板に設けられた複数の接触端子部に夫々押圧接触するときには、ハウジング４１に差し込まれたフレキシブル印刷配線基板における複数の接触端子部が、複数のコンタクト４３を介して、ハウジング４１が配された配線基板に設けられた配線端子に電気的に連結される。それにより、ハウジング４１に差し込まれたフレキシブル印刷配線基板が、ハウジング４１が配された配線基板との電気的連結がなされた状態におかれる。
【００７５】
図１３に示されるように、ハウジング４１における板状部材差込み部４２を形成する内壁部分には、ハウジング４１の長手方向に配列配置された複数の狭幅溝部４１e が形成されており、これらの複数の狭幅溝部４１e の夫々に、コンタクト４３における接触部４３ｂを形成する部分が配される。それにより、コンタクト４３における接触部４３ｂを形成する部分についての位置規制がなされている。複数のコンタクト４３は、配線板状部材を成すフレキシブル印刷配線基板における複数の接触端子部に接触接続される信号用コンタクトとして設けられているが、フレキシブル印刷配線基板における複数の信号用接触端子部及び接地接続部に接触接続される信号用及び接地用コンタクトとして用いられても良い。
【００７６】
また、ハウジング４１には、配線基板上に配されたハウジング４１の当該配線基板への取付けに供される取付部材４５が取り付けられている。この取付部材４５は、例えば、導電性と弾性とを有した金属板材に打抜き屈曲加工が施されて形成される。
【００７７】
ハウジング４１に取り付けられる取付部材４５は、図１６及び図１７に示されるように、ハウジング４１の下側端面部４１ａ側に配されることになる基部４６を有しており、この基部４６は、ハウジング４１の長手方向に沿う方向、従って、ハウジング４１に設けられた板状部材差込み部４２の開口部分が伸びる方向を長手方向として伸びるものとされている。そして、この基部４６に、それから伸びてハウジング４１が配される配線基板に連結される複数の基板連結部４７と、基部４６からハウジング４１内をハウジング４１の上側端面部４１ｂに向かうことになる方向に伸びる可動腕状部４８とが設けられている。
【００７８】
複数の基板連結部４７の夫々は、基部４６からハウジング４１の下側端面部４１ａに沿うことになる方向に突出しており、取付部材４５が取り付けられたハウジング４１が配線基板上に配されるとき、配線基板に設けられたハウジング取付部に当接し、例えば、半田付けによってハウジング取付部に固定され、それにより、配線基板に連結される。このようにして、ハウジング４１に取り付けられた取付部材４５の複数の基板連結部４７が配線基板に連結されることにより、ハウジング４１が配線基板に取り付けられて固定される。
【００７９】
また、可動腕状部４８は、基部４６における長手方向の両端部の近傍となる２箇所に夫々設けられていて、２個の可動腕状部４８は、基部４６の長手方向に沿って配列されている。２個の可動腕状部４８の夫々は、先ず、基部４６からハウジング４１の内部に向かうことになる向きをもってハウジング４１の下側端面部４１ａに沿うことになる方向に伸び、その後、屈曲してハウジング４１の上側端面部４１ｂに向かうことになる方向、即ち、上方に伸びている。そして、可動腕状部４８は、ハウジング４１の下側端面部４１ａに沿うことになる方向からハウジング４１の上側端面部４１ｂに向かうことになる方向への屈曲部４８ａを仮想揺動軸部として、基部４６の長手方向に交差する方向に揺動できるようにされている。このようにしてハウジング４１の上側端面部４１ｂに向かうことになる方向に伸びる可動腕状部４８は、基部４６に設けられた複数の基板連結部４７のうちの相互対向する二つである基板連結部４７ａと基板連結部４７ｂとの間となる位置に配されている。
【００８０】
さらに、操作部５０における長手方向の相互対向端部５１の夫々には、ハウジング４１に板状部材差込み部４２を通じて差し込まれた配線板状部材を成すフレキシブル印刷配線基板を係止する状態をとるロック部５２が設けられている。このロック部５２は、基部４６の端部５１からハウジング４１に設けられた板状部材差込み部４２内に向かって突出することになる係合突起を形成しており、その先端部分が板状部材差込み部４２内となる位置に配される。そして、ロック部５２は、その先端部分が板状部材差込み部４２を通じてハウジング４１に差し込まれたフレキシブル印刷配線基板における係合部に係合する状態をとり、それによって当該フレキシブル印刷配線基板を係止する。
【００８１】
そして、２個の可動腕状部４８の夫々におけるハウジング４１の上側端面部４１ｂ側の端部には、基部４６の長手方向に沿う方向、即ち、ハウジング４１に設けられた板状部材差込み部４２の開口部分に沿う方向を長手方向として伸びる操作部５０が連結されている。操作部５０は、全体として矩形平板状を成していて、各々が基部４６の長手方向に沿って伸びるものとされた相互対向端縁部である正面側端縁部５０ａと背面側端縁部５０ｂとを有している。操作部５０の正面側端縁部５０ａ及び背面側端縁部５０ｂは、正面側端縁部５０ａがハウジング４１の外部側となるとともに背面側端縁部５０ｂがハウジング４１の内部側となるものとされ、図１６及び図１７に示されるように、ハウジング４１の外部側となる正面側端縁部５０ａにおける操作部５０の長手方向の端部が、２個の可動腕状部４８の夫々におけるハウジング４１の上側端面部４１ｂ側の端部に連結されている。それにより、２個の可動腕状部４８は、各々が操作部５０の長手方向の端部５１の近傍に連結されて、操作部５０の長手方向に沿って配列されていることになる。なお、ハウジング４１の内部側となる背面側端縁部５０ｂには、それから屈曲して基部１６側、即ち、下方に向かって伸びる屈曲フリンジ部５０ｃが設けられている。
【００８２】
操作部５０は、それに基部４６に向かう方向の押圧操作が加えられるとき、２個の可動腕状部４８の夫々に、それにおける屈曲部４８ａを仮想揺動軸部として基部４６に向かって揺動する状態をとらせ、それにより、操作部５０が、その正面側端縁部５０ａを基部４６に近付けつつ、取付部材４５の外部に向かう方向に移動する。このような、操作部５０の移動は、それに伴って、操作部５０の端部５１に設けられたロック部５２の先端部分を、ハウジング４１に設けられた板状部材差込み部４２内から外れることになる位置へと変位させる。その後、操作部５０に基部４６に向かう方向の押圧操作が加えられなくなると、各可動腕状部４８は、自からの弾性により、操作部５０及びその端部５１に設けられたロック部５２を伴って元の位置に戻る。
【００８３】
さらに、基部４６における長手方向の両端部の夫々には、それから屈曲して伸びる保持片部４６ａが設けられている。これらの複数の保持片部４６ａは、そのうちの一つが、基部４６の端部から左方に伸び、その後屈曲して操作部５０に向かう方向、即ち、上方に伸び、さらに屈曲して右方に伸びるものとされるとともに、そのうちの他の一つが、基部４６の端部から右方に伸び、その後屈曲して操作部５０に向かう方向、即ち、上方に伸び、さらに屈曲して左方に伸びるものとされている。そして、これらの保持片部４６ａは、ハウジング４１の左側端面部及び右側端面部に夫々圧入されて取付部材４５を保持することになる。
【００８４】
取付部材４５は、基部４６により支えられて操作部５０の長手方向に沿って広がり、ハウジング４１の正面側端面部４１ｃを部分的に覆う平板状部５３も有している。平板状部５３における操作部５０の長手方向の両端部には、それらから屈曲して背面側に向かって突出し、ハウジング４１の正面側端面部４１ｃに圧入されて取付部材４５を保持することになる複数の保持片部５３ａが設けられている。
【００８５】
上述のように、基部４６，複数の基板連結部４７，２個の可動腕状部４８，操作部５０，２個のロック部５２及び平板状部５３を有するものとされた取付部材４５は、その全体が、基部４６，基板連結部４７，可動腕状部４８，操作部５０，ロック部５２及び平板状部５３を一体的に形成されたものとして含んだ、一つの部材として構成されている。
【００８６】
そして、図１６及び図１７に示される取付部材４５は、その基部４６に設けられた複数の保持片部４６ａ及びその平板状部５３に設けられた複数の保持片部５３ａがハウジング４１に圧入されて取付部材４５を保持するものとされるもとで、ハウジング４１への取付けがなされる。このように、複数の保持片部４６ａ及び５３ａが、ハウジング４１に圧入されて取付部材４５を保持するものとされることにより、取付部材４５のハウジング４１への取付けが、極めて安定かつ堅固に行われることになる。
【００８７】
取付部材４５がハウジング４１に取り付けられたもとにあっては、図１５に示されるように、取付部材４５における可動腕状部４８がハウジング４１の内部に設けられた空間部分に配される。そして、可動腕状部４８におけるハウジング４１の上側端面部４１ｂ側の端部に連結された正面側端縁部５０ａを有した操作部５０が、ハウジング４１の上側端面部４１ｂ側においてハウジング４１の外部に露出するものとされる。
【００８８】
ハウジング４１の外部に露出した操作部５０に、その外方からの基部４６に向かう方向の押圧操作が加えられていない状態のもとにあっては、可動腕状部４８が図１５に示される位置をとり、このとき、操作部５０の端部５１に設けられたロック部５２は、図１４における XVIII−XVIII 線断面を示す図１８に示されるように、その先端部分をハウジング４１に設けられた板状部材差込み部４２内に位置させる。また、ハウジング４１の外部に露出した操作部５０に、可動腕状部４８に、屈曲部４８ａを仮想揺動軸部として基部４６に向かって揺動する状態をとらせる、基部４６に向かう方向の押圧操作が加えられたときには、可動腕状部４８が図１９に示される位置をとり、それにより、操作部５０の端部５１に設けられたロック部５２が、その先端部分を含んだ全体をハウジング４１に設けられた板状部材差込み部４２から外れた位置へと移動させるとともに、操作部５０が、その正面側端縁部５０ａを基部４６に近付けつつ、取付部材４５の外部に向かって移動する。その後、操作部５０に押圧操作が加えられなくなると、可動腕状部４８は、自からの弾性により、操作部５０及びその端部５１に設けられたロック部５２を伴って、図１８に示される位置に戻る。
【００８９】
ハウジング４１には、図１３〜１５及び図２０に示されるように、取付部材４５における操作部５０の正面側端縁部５０ａから２個の可動腕状部４８の間において下方に向かって伸びる屈曲部５０ｄに対応する一対の過大変位防止部５５と、取付部材４５における操作部５０の背面側端縁部５０ｂに設けられた屈曲フリンジ部５０ｃに対応する過大変位防止部５６とが設けられている。このような過大変位防止部５５及び５６がハウジング４１に設けられていることにより、上述のように揺動する可動腕状部４８の基部４６に向かう方向の揺動変位が過大となったとき、取付部材４５における屈曲部５０ｄが、過大変位防止部５５に当接して、可動腕状部４８のそれ以上の揺動変位を阻止し、また、可動腕状部４８の基部４６から離隔する方向の揺動変位が過大となったとき、取付部材４５における屈曲フリンジ部５０ｃが、過大変位防止部５６に当接して、可動腕状部４８のそれ以上の揺動変位を阻止する。それにより、取付部材４５が可動腕状部４８の過大変位に起因する不所望な変形あるいは破損を生じる事態が回避される。
【００９０】
取付部材４５が取り付けられたハウジング４１は、配線基板に配されてその配線基板に取り付けられるが、その際、取付部材４５における基部４６から伸びる複数の基板連結部４７が、配線基板に設けられたハウジング取付部に、例えば、半田付けにより固定されて、配線基板に連結され、また、ハウジング４１に配された複数のコンタクト４３の夫々の接続端子部４３ａが、配線基板に設けられた配線端子に，例えば、半田付けによって接続される。斯かるもとで、配線基板に連結された複数の基板連結部４７のうちの幾つかのもの、例えば、複数の基板連結部４７ａと、配線基板に設けられた配線端子に接続された複数のコンタクト４３の接続端子部４３ａとが、取付部材４５における基部４６を挟んで相互対向する位置に配される。それにより、取付部材４５における操作部５０が、少なくとも上述の押圧操作が加えられ始められるとき、配線基板に連結された基板連結部４７ａと配線基板に設けられた配線端子に接続された複数のコンタクト４３の接続端子部４３ａとの間となる位置に配されることになる。
【００９１】
このようにして、取付部材４５を伴って配線基板に取り付けられたハウジング４１を有するものとされたコネクタ装置４０には、例えば、前述の図８に示されるフレキシブル印刷配線基板３０が、配線板状部材を成すものとして、そのハウジング４１に板状部材差込み部４２を通じて差し込まれる。
【００９２】
図２０は、図８に示されるフレキシブル印刷配線基板３０が、コネクタ装置４０におけるハウジング４１に板状部材差込み部４２を通じて差し込まれた状態を示す。図２０において、フレキシブル印刷配線基板３０は、複数の接続端子部３１が配列配置された面が、ハウジング４１の背面側端面部４１ｄ側に配されるものとされている。このようにして、フレキシブル印刷配線基板３０が、板状部材差込み部４２を通じてハウジング４１に差し込まれたときには、フレキシブル印刷配線基板３０に設けられた複数の接続端子部３１の夫々に、図１５に示されるコンタクト４３の接触部４３ｂが押圧接触する。それにより、フレキシブル印刷配線基板３０に設けられた複数の接続端子部３１が、コネクタ装置４０における複数のコンタクト４３を介して、コネクタ装置４０が固定された配線基板に設けられた配線端子に電気的に連結される。
【００９３】
フレキシブル印刷配線基板３０がコネクタ装置４０におけるハウジング４１に板状部材差込み部４２を通じて差し込まれるにあたっては、コネクタ装置４０が、ハウジング４１に取り付けられた取付部材４５におけるロック部５２が設けられた操作部５０に連結された可動腕状部４８が、図１５に示される状態におかれたものとして用意される。
【００９４】
そして、このように用意されたコネクタ装置４０に対して、フレキシブル印刷配線基板３０が、ハウジング４１に、それに設けられた板状部材差込み部４２を通じ、コネクタ装置４０が固定された配線基板に実質的に直交する方向を持って差し込まれる。その際、先ず、図２１に示されるように、コネクタ装置４０におけるハウジング４１の左側端部において、取付部材４５における操作部５０の端部５１に設けられて先端部分を板状部材差込み部４２内に位置させたロック部５２が、ハウジング４１に差し込まれたフレキシブル印刷配線基板３０における係合部３３より先端側の先端平板部３５によって、可動腕状部４８の屈曲部４８ａを仮想揺動軸部としての揺動を伴って押し動かされ、その全体が板状部材差込み部４２から外れることになる位置をとるものとされる。同様に、コネクタ装置４０におけるハウジング４１の右側端部において、取付部材４５における操作部５０の端部５１に設けられて先端部分を板状部材差込み部４２内に位置させたロック部５２が、ハウジング４１に差し込まれたフレキシブル印刷配線基板３０における係合部３４より先端側の先端平板部３６によって、可動腕状部４８の屈曲部４８ａを仮想揺動軸部としての揺動を伴って押し動かされ、その全体が板状部材差込み部４２から外れることになる位置をとるものとされる。
【００９５】
このとき、取付部材４５における操作部５０の端部５１に設けられたロック部５２は、その先端部分のみがハウジング４１に差し込まれたフレキシブル印刷配線基板３０における先端平板部３５又は３６に当接するだけであるので、フレキシブル印刷配線基板３０のハウジング４１への更なる差込みを妨げるものとはならない。
【００９６】
続いて、フレキシブル印刷配線基板３０が、板状部材差込み部４２を通じて更にハウジング４１の内部へと差し込まれて、差込みが完了する所定の位置に到達すると、図２２に示されるように、コネクタ装置４０におけるハウジング４１の左側端部において、取付部材４５における操作部５０の端部５１に設けられたロック部５２が、ハウジング４１に差し込まれたフレキシブル印刷配線基板３０における先端平板部３５から外れる。それにより、ロック部５２が設けられた操作部５０に連結された可動腕状部４８が自らの弾性によって復元変位し、それに伴って、ロック部５２がその先端部分を板状部材差込み部４２内に位置させる状態に置かれる。
【００９７】
先端部分を板状部材差込み部４２内に位置させた取付部材４５における操作部５０の端部５１に設けられたロック部５２は、ハウジング４１に差し込まれたフレキシブル印刷配線基板３０における先端平板部３５より内側に設けられた係合部３３に係合して、フレキシブル印刷配線基板３０を係止する状態に置かれる。
【００９８】
また、斯かる際、図示は省略されているが、コネクタ装置４０におけるハウジング４１の右側端部において、取付部材４５における操作部５０の端部５１に設けられたロック部５２が、ハウジング４１に差し込まれたフレキシブル印刷配線基板３０における先端平板部３６から外れる。それにより、ロック部５２が設けられた操作部５０に連結された可動腕状部４８が自らの弾性によって復元変位し、それに伴って、ロック部５２がその先端部分を板状部材差込み部４２内に位置させる状態に置かれる。
【００９９】
先端部分を板状部材差込み部４２内に位置させた取付部材４５における可動腕状部４８に設けられたロック部５２は、ハウジング４１に差し込まれたフレキシブル印刷配線基板３０における先端平板部３６より内側に設けられた係合部３４に係合して、フレキシブル印刷配線基板３０を係止する状態に置かれる。
【０１００】
その結果、フレキシブル印刷配線基板３０は、ハウジング４１への板状部材差込み部４２を通じての差込みを完了して、正規の差込み位置をとっており、取付部材４５における操作部５０の端部５１に設けられた２個のロック部５２により係止されて、ハウジング４１からの不所望な抜脱が阻止される状態におかれる。即ち、フレキシブル印刷配線基板３０は、ハウジング４１に板状部材差込み部４２を通じて適正に差し込まれるだけで、取付部材４５における操作部５０の端部５１に設けられた２個のロック部５２によりハウジング４１からの不所望な抜脱が阻止される状態におかれることになる。
【０１０１】
このとき、ハウジング４１の上側端面部４１ｂ側においてハウジング４１の外部に露出した取付部材４５における操作部５０は、その正面側端縁部５０ａが基部４６から遠ざかった位置をとり、その背面側端縁部５０ｂがハウジング４１に差し込まれたフレキシブル印刷配線基板３０に近づいた位置をとるものとされる。
【０１０２】
その後、図２３に示されるように、ハウジング４１の上側端面部４１ｂ側においてハウジング４１の外部に露出する操作部５０に、取付部材４５における基部４６に向かう方向の押圧操作が加えられて、２個の可動腕状部４８の夫々が、屈曲部４８ａを仮想揺動軸部として基部４６に向かって揺動するものとされると、操作部５０が、その正面側端縁部５０ａが基部４６に近づくように移動せしめられるとともに、操作部５０の端部５１に設けられたロック部５２が、その先端部分を含む全体が板状部材差込み部４２から外れることになる位置をとるものとされる。それにより、ロック部５２が、ハウジング４１に差し込まれたフレキシブル印刷配線基板３０における係合部３３及び３４との係合を解除して、フレキシブル印刷配線基板３０をそれに対するロック部５２による係止から解放する。
【０１０３】
その結果、ハウジング４１に差し込まれたフレキシブル印刷配線基板３０が、ハウジング４１から適正に抜脱され得る状態におかれることになる。
【０１０４】
斯かる際、前述のように、取付部材４５における操作部５０が、少なくとも上述の押圧操作が加えられ始められるとき、配線基板に連結された複数の基板連結部４７ａと配線基板に設けられた配線端子に接続された複数のコンタクト４３の接続端子部４３ａとの間となる位置に配されるので、押圧操作が加えられた操作部５０, 可動腕状部４８及び基部４６を介して取付部材４５にかかる押圧力が、複数の基板連結部４７ａ及び複数のコンタクト４３の接続端子部４３ａに分散されて配線基板に伝達されることになる。従って、取付部材４５及び配線基板は、操作部５０に対する押圧操作に起因する押圧力を、構造的に安定した状態に置かれたもとで受け止めることができ、不所望な変形や破損を生じる事態を回避できることになる。
【０１０５】
なお、取付部材４５に設けられた操作部５０に上述の押圧操作力が加えられなくなると、取付部材４５における２個の可動腕状部４８の夫々が、自らの弾性によって、それに連結された操作部５０を伴って復元変位し、それにより、操作部５０が、ハウジング４１の上側端面部４１ｂ側においてハウジング４１の外部に露出する状態に戻る。
【０１０６】
上述の本発明に係るコネクタ装置の第二の例を成すコネクタ装置４０は、ハウジング４１の上側端面部４１ｂ，背面側端面部４１ｄ及び左右側端面部等の外表面を覆うシェル部材を備えていないが、本発明に係るコネクタ装置は、ハウジング４１の上側端面部４１ｂ，背面側端面部４１ｄ及び左右側端面部等の外表面を全体的もしくは部分的に覆うシェル部材を備えたものとすることもできる。斯かる際には、シェル部材は、例えば、導電性材料をもって形成され、接地電位が与えられるものとされることが望ましい。
【０１０７】
上述のようにして配線基板に固定されたコネクタ装置４０にあっては、配線基板に固定されたもとにおいて、配線基板に下側端面部４１ａを対面させて配されたハウジング４１に、その下側端面部４１ａに対向する上側端面部４１ｂに開口して設けられた板状部材差込み部４２を通じて下側端面部４１ａに向かって差し込まれたフレキシブル印刷配線基板３０を、ロック部５２により係止して、ハウジング４１からの不所望な抜脱が阻止される状態におくこと、さらには、操作部５０を介してロック部５２による係止を解除し、ハウジング４１から抜脱され得る状態におくことができるが、そのためのロック部５２と操作部５０とを、ハウジング４１の配線基板への取付けに供される取付部材４５に一体的に形成されたものとすることができる。その際、取付部材４５は、配線基板に対面するハウジング４１の下側端面部４１ａ側に配される基部４６を有し、その基部４６に複数の基板連結部４７，２個の可動腕状部４８及び平板状部５３が設けられるとともに、２個の可動腕状部４８の夫々に操作部５０が連結され、その操作部５０にロック部５２が設けられて構成される。
【０１０８】
従って、取付部材４５は、基部４６，基板連結部４７，可動腕状部４８, 操作部５０，ロック部５２及び平板状部５３を一体的に形成されたものとして含んでいることになる。その結果、コネクタ装置４０によれば、ハウジング４１に対して回動可能とされる別部材等を備える必要がなく、部品点数を比較的少とすることができるとともに、組立て作業工程の簡素化を図ることができ、それにより、製造コストを低減させることができる構成をもって、ハウジング４１に板状部材差込み部４２を通じて差し込まれたフレキシブル印刷配線基板３０についてのハウジング４１からの不所望な抜脱の阻止及びその阻止の解除を、容易かつ確実に行うことができる。
【０１０９】
また、コネクタ装置４０にあっては、ハウジング４１内において差し込まれたフレキシブル印刷配線基板３０を係止する状態をとるロック部５２が、２個の可動腕状部４８の夫々が操作部５０におけるその長手方向の端部５１の近傍に連結されたもとで、操作部５０におけるその長手方向の端部５１から板状部材差込み部１２に向かって突出する係合突起を形成するものとされていることにより、その係合突起をハウジング４１に差し込まれたフレキシブル印刷配線基板３０における側縁部に形成された係合部３３及び３４の夫々に適正に係合させることができ、その結果、ロック部５２によるハウジング４１に差し込まれたフレキシブル印刷配線基板３０に対する係止がより一層確実に行われる。
【０１１０】
さらに、コネクタ装置４０にあっては、フレキシブル印刷配線基板３０がハウジング４１に板状部材差込み部４２を通じて差し込まれるだけで、そのフレキシブル印刷配線基板３０が取付部材４５に設けられたロック部５２により適正に係止されて、フレキシブル印刷配線基板３０のハウジング４１からの不所望な抜脱が阻止される状態がとられる。そして、フレキシブル印刷配線基板３０がロック部５２による係止状態のもとにおかれているときには、ハウジング４１への板状部材差込み部４２を通じての差込みを完了して正規の差込み位置をとっており、取付部材４５に設けられたロック部５２により適正に係止されて、ハウジング４１からの不所望な抜脱が阻止される状態におかれているときには、取付部材４５における操作部５０が、ハウジング４１の上側端面部４１ｂ側においてハウジング４１の外部に露出する状態におかれており、フレキシブル印刷配線基板３０に対するロック部５２による係止状態を解除するには、ハウジング４１の外部に露出する状態におかれた操作部５０に、例えば、押圧操作とされる操作を加えるだけで足りる。従って、ハウジング４１に板状部材差込み部４２を通じて差し込まれたフレキシブル印刷配線基板３０についてのハウジング４１からの不所望な離脱の阻止及びその阻止の解除を、作業性が良好とされたもとで容易かつ確実に行うことができることになる。
【産業上の利用可能性】
【０１１１】
以上のような本発明に係るコネクタ装置は、配線基板上に配され、その配線基板に対面する一端面部に対向する他端面部に開口する板状部材差込み部が設けられたハウジングと、ハウジングに配列配置されて設けられ、例えば、フレキシブル印刷配線基板とされる配線板状部材を配線基板に電気的に連結する複数のコンタクトとを備えたもとにおいて、ハウジングに対して回動可能とされる別部材を備える必要がなく、部品点数を比較的少とすることができるとともに、組立て作業工程の簡素化を図ることができ、それにより、製造コストを低減させることができる構成をもって、ハウジングに板状部材差込み部を通じて差し込まれた配線板状部材についてのハウジングからの不所望な抜脱の阻止及びその阻止の解除を、作業性が良好とされたもとで容易かつ確実に行うことができるものとして、様々な電子機器等に広く適用され得るものである。
【符号の説明】
【０１１２】
１０，４０・・・コネクタ装置，  １１，４１・・・ハウジング，  １１ａ，４１ａ・・・下側端面部，  １１ｂ，４１ｂ・・・上側端面部，  １１ｃ，４１ｃ・・・正面側端面部，  １１ｄ，４１ｄ・・・背面側端面部，  １２，４２・・・板状部材差込み部，  １３，４３・・・コンタクト，  １３ａ，４３ａ・・・接続端子部，  １５，４５・・・取付部材，  １６，４６・・・基部，  １７，１７ａ，１７ｂ，４７，４７ａ，４７ｂ・・・基板連結部，  １８，４８・・・可動腕状部，  １９，５２・・・ロック部，  ２０，５０・・・操作部，  ２０ａ，５０ａ・・・正面側端縁部，  ２０ｂ，５０ｂ・・・背面側端縁部，  ２２，５３・・・平板状部，  ３０・・・フレキシブル印刷配線基板，  ３３，３４・・・係合部，  ３５，３６・・・先端平板部，  ５０ｃ・・・屈曲フリンジ部，  ５０ｄ・・・屈曲部，  ５５，５６・・・過大変位防止部
【図１】
0005729553.tif 000002
【図２】
0005729553.tif 000003
【図３】
0005729553.tif 000004
【図４】
0005729553.tif 000005
【図５】
0005729553.tif 000006
【図６】
0005729553.tif 000007
【図７】
0005729553.tif 000008
【図８】
0005729553.tif 000009
【図９】
0005729553.tif 000010
【図１０】
0005729553.tif 000011
【図１１】
0005729553.tif 000012
【図１２】
0005729553.tif 000013
【図１３】
0005729553.tif 000014
【図１４】
0005729553.tif 000015
【図１５】
0005729553.tif 000016
【図１６】
0005729553.tif 000017
【図１７】
0005729553.tif 000018
【図１８】
0005729553.tif 000019
【図１９】
0005729553.tif 000020
【図２０】
0005729553.tif 000021
【図２１】
0005729553.tif 000022
【図２２】
0005729553.tif 000023
【図２３】
0005729553.tif 000024